(57)【要約】      （修正有）【課題】操作感触を良くすることができる接点ばね付きシート及びスイッチ装置を提供する。【解決手段】接点ばね付きシート２は、接点ばね１１と、接点ばね１１を下方に保持する保持シート１２と、接点ばね１１と保持シート１２との間に配される押し子部材１３と、を有する。保持シート１２には、押し子部材１３を収容するための収容部１４が形成されており、保持シート１２は、収容部１４の周囲部分で接点ばね１１を保持しており、収容部１４は、エンボス加工により、上方に２段に突出した形状となっており、収容部１４に収容された押し子部材１３の下方側での径方向の周囲には、保持シート１２との間に空間が形成されている。【選択図】図１
0003178040.tif 000002
【実用新案登録請求の範囲】
【請求項１】
接点ばねと、前記接点ばねを下方に保持する保持シートと、前記接点ばねと前記保持シートとの間に配される押し子部材と、を有し、
前記保持シートには、前記押し子部材を収容するための収容部が形成されており、
前記保持シートは、前記収容部の周囲部分で前記接点ばねを保持しており、
前記収容部は、エンボス加工により、上方に２段に突出した形状となっており、
前記収容部に収容された前記押し子部材の下方側での径方向の周囲には、前記保持シートとの間に空間が形成されていることを特徴とする接点ばね付きシート。
【請求項２】
前記接点ばねは、操作時に、上下方向に移動可能な頂部を有し、
前記収容部の突出形状は、第１の凸部と、前記第１の凸部から上方に突出する第２の凸部と、からなり、
前記第２の凸部の下端から前記第２の凸部の上端までの上下方向の距離は、前記頂部の上下方向に移動可能な距離と前記第１の凸部の基端部の上下方向に移動可能な距離との差分よりも大きくなっていることを特徴とする、請求項１に記載の接点ばね付きシート。
【請求項３】
前記収容部は、前記保持シートの下方側からみて、上方に２段に窪んだ、窪み形状となっており、
前記収容部の窪み形状は、第１の凹部と、前記第１の凹部から上方に窪んだ第２の凹部と、からなり、
前記押し子部材の少なくとも一部は、前記第２の凹部に収容され、
前記押し子部材は、前記第２の凹部の下端よりも下方に突出していることを特徴とする、請求項１又は請求項２に記載の接点ばね付きシート。
【請求項４】
請求項１から請求項３のいずれかに記載の接点ばね付きシートと、配線基板と、前記配線基板上に形成された固定接点と、を備えたことを特徴とするスイッチ装置。
【考案の詳細な説明】
【技術分野】
【０００１】
本考案は、接点ばね付きシート及びスイッチ装置に関し、特に、操作感触を良くすることができる接点ばね付きシート及びスイッチ装置に関する。
【背景技術】
【０００２】
携帯電話などの小型の電子機器の操作パネルには、接点ばね付きシートを使用したスイッチ装置が広く使用されている。従来の接点ばね付きシートとしては、特許文献１に示されたものがある。図７は、特許文献１に係る実施形態の、電子機器用スイッチの断面を模式的に示した図である。以下、図７を用いて、従来の接点ばね付きシートについて説明する。
【０００３】
図７に示すように、特許文献１に記載の電子機器用スイッチ１０３は、接点部１０７Ａと接点部１０７Ｂを備えたプリント配線基板１０５と、接点部１０７Ａと接点部１０７Ｂとの導通をＯＮ・ＯＦＦさせるためのスイッチシート１０１と、スイッチシート１０１を押し込むためのキーマット１０９と、から構成されている。
【０００４】
スイッチシート１０１は、シート材の内面に粘着剤層を塗布してなるドーム押えシート１１３と、ドーム押えシート１１３の内面の所定の位置に配置するスイッチ用ドーム１１１と、スイッチ用ドーム１１１の頭頂部とドーム押えシート１１３との間に介在した突起物１１５と、で構成されている。そして、突起物１１５を覆うドーム押えシート１１３の部分に、突起物用エンボス１１９が形成されている。
【０００５】
操作時に、操作者によってキーマット１０９が押し込まれると、ドーム押えシート１１３の上から突起物１１５を介してスイッチ用ドーム１１１が下方へ押圧される。スイッチ用ドーム１１１は、頭頂部付近が反転して凹むように押し込まれるという反転動作によって接点部１０７Ａに接触し、その結果、接点部１０７Ａと接点部１０７Ｂとの電気的な導通がＯＮとなる。逆に、押圧が解除されると、スイッチ用ドーム１１１の反転が元に戻り、接点部１０７Ａと接点部１０７Ｂとの電気的な導通がＯＦＦとなる。このようにして、スイッチシート１０１は、接点部１０７Ａと接点部１０７Ｂとの電気的な導通をＯＮ・ＯＦＦさせている。そして、スイッチシート１０１は、前述したスイッチ用ドーム１１１の反転動作によって、操作感触を生み出している。
【先行技術文献】
【特許文献】
【０００６】
【特許文献１】特開２００８−１５９５５３
【考案の概要】
【考案が解決しようとする課題】
【０００７】
近年、携帯電話などの電子機器用スイッチ（スイッチ装置）としては、操作感触の良いものが必要とされてきた。
【０００８】
しかしながら、従来のスイッチシート１０１（接点ばね付きシート）では、操作時に、ドーム押えシート１１３（保持シート）に形成された突起物用エンボス１１９（収容部）の下端がスイッチ用ドーム１１１（接点ばね）を押圧していた。そして、突起物用エンボス１１９（収容部）の下端は、周囲のドーム押えシート１１３（保持シート）から引っ張られていて自由に移動できないため、スイッチ用ドーム１１１の円滑な反転動作を阻害していた。そのため、スイッチシート１０１（接点ばね付きシート）が得られる操作感触が低下していた。その結果、電子機器用スイッチ１０３（スイッチ装置）の操作感触も低下していた。
【０００９】
本考案は、前述した課題を解決して、操作感触を良くすることができる接点ばね付きシート及びスイッチ装置を提供することを目的とする。
【課題を解決するための手段】
【００１０】
上記の目的を達成するために、請求項１に記載の接点ばね付きシートは、接点ばねと、前記接点ばねを下方に保持する保持シートと、前記接点ばねと前記保持シートとの間に配される押し子部材と、を有し、前記保持シートには、前記押し子部材を収容するための収容部が形成されており、前記保持シートは、前記収容部の周囲部分で前記接点ばねを保持しており、前記収容部は、エンボス加工により、上方に２段に突出した形状となっており、前記収容部に収容された前記押し子部材の下方側での径方向の周囲には、前記保持シートとの間に空間が形成されていることを特徴とする。
【００１１】
この構成の接点ばね付きシートでは、収容部は、エンボス加工により、上方に２段に突出した形状となっており、収容部に収容された押し子部材の下方側での径方向の周囲には、保持シートとの間に空間が形成されている。そして、操作時に、エンボス加工された収容部の一段目の部分が変形することで力を分散させ、収容部の下端が接点ばねを押圧することを抑制できる。そのため、接点ばねの反転動作が円滑に行われるので、接点ばねはクリック率が高く良好な操作感触を生み出すことができる。その結果、接点ばね付きシートは操作感触を良くすることができる。
【００１２】
請求項２に記載の接点ばね付きシートは、請求項１に記載の接点ばね付きシートにおいて、前記接点ばねは、操作時に、上下方向に移動可能な頂部を有し、前記収容部の突出形状は、第１の凸部と、前記第１の凸部から上方に突出する第２の凸部と、からなり、前記第２の凸部の下端から前記第２の凸部の上端までの上下方向の距離は、前記頂部の上下方向に移動可能な距離と前記第１の凸部の基端部の上下方向に移動可能な距離との差分よりも大きくなっていることを特徴とする。
【００１３】
この構成の接点ばね付きシートでは、第２の凸部の突出量は、第２の凸部の移動量と第１の凸部の移動量との差分よりも大きくなる。こうすれば、操作時に、第２の凸部が押し下げられても、第２の凸部の上端は第１の凸部よりも上方に突出する。そのため、操作時に、第２の凸部の上端のみを押すことができる。そして、接点ばねの円滑な反転動作が安定して行われるので、接点ばねは安定して良好な操作感触を生み出すことができる。その結果、接点ばね付きシートは安定して操作感触を良くすることができる。
【００１４】
請求項３に記載の接点ばね付きシートは、請求項１又は請求項２に記載の接点ばね付きシートにおいて、前記収容部は、前記保持シートの下方側からみて、上方に２段に窪んだ、窪み形状となっており、前記収容部の窪み形状は、第１の凹部と、前記第１の凹部から上方に窪んだ第２の凹部と、からなり、前記押し子部材の少なくとも一部は、前記第２の凹部に収容され、前記押し子部材は、前記第２の凹部の下端よりも下方に突出していることを特徴とする。
【００１５】
この構成の接点ばね付きシートでは、押し子部材が第２の凹部の下端よりも下方に突出していることで、操作時に、押し子部材が確実に接点ばねの頂部を押圧することができる。そして、接点ばねの円滑な反転動作が安定して行われるので、接点ばねは安定して良好な操作感触を生み出すことができる。その結果、接点ばね付きシートは安定して操作感触を良くすることができる。
【００１６】
請求項４に記載のスイッチ装置は、請求項１から請求項３のいずれかに記載の接点ばね付きシートと、配線基板と、前記配線基板上に形成された固定接点と、を備えたことを特徴とする。
【００１７】
この構成のスイッチ装置では、請求項１から請求項３のいずれかに記載の接点ばね付きシートを備えたスイッチ装置とすることで、操作感触を良くすることができる。
【考案の効果】
【００１８】
本考案の接点ばね付きシートでは、収容部は、エンボス加工により、上方に２段に突出した形状となっており、収容部に収容された押し子部材の下方側での径方向の周囲には、保持シートとの間に空間が形成されている。そして、操作時に、エンボス加工された収容部の一段目の部分が変形することで力を分散させ、収容部の下端が接点ばねを押圧することを抑制できる。そのため、接点ばねの反転動作が円滑に行われるので、接点ばねはクリック率が高く良好な操作感触を生み出すことができる。その結果、接点ばね付きシートは操作感触を良くすることができる。また、スイッチ装置は、このような接点ばね付きシートを備えたスイッチ装置とすることで、操作感触を良くすることができる。
【００１９】
したがって、本考案の接点ばね付きシート及びスイッチ装置は、操作感触を良くすることができる。
【図面の簡単な説明】
【００２０】
【図１】本考案に係る実施形態の、スイッチ装置の断面を模式的に示した図である。
【図２】本考案に係る実施形態の、接点ばね付きシートの部分の断面を模式的に示した図である。
【図３】本考案に係る実施形態の、収容部の部分の断面を模式的に示した図である。
【図４】本考案に係る実施形態の、スイッチ装置の操作時の状態を模式的に示した図である。
【図５】本考案に係る実施形態の、第２の凸部と頂部と第１の凸部の基端部との位置関係を模式的に示した図である。
【図６】本考案に係る実施形態の、第２の凹部の下端と押し子部材との位置関係を模式的に示した図である。
【図７】特許文献１に係る実施形態の、電子機器用スイッチの断面を模式的に示した図である。
【考案を実施するための形態】
【００２１】
本考案に係る実施形態の、接点ばね付きシート及びスイッチ装置の構成について、図１から図３を用いて説明する。図１は、本考案に係る実施形態の、スイッチ装置の断面を模式的に示した図である。図２は、本考案に係る実施形態の、接点ばね付きシートの部分の断面を模式的に示した図である。図３は、本考案に係る実施形態の、収容部の部分の断面を模式的に示した図である。
【００２２】
図１から図３に示すように、スイッチ装置１は、接点ばね付きシート２と、配線基板３と、前記配線基板上に形成された固定接点４と固定接点５と、を備えている。そして、接点ばね付きシート２は、接点ばね１１と、接点ばね１１を下方側に保持する保持シート１２と、接点ばね１１と保持シート１２の間に配される押し子部材１３と、を有している。
【００２３】
接点ばね１１は、ステンレス又はリン青銅などの導電性とともにばね性を有する金属材により形成されている。また、接点ばね１１は、上方に凸となるドーム形状をしており、ドーム形状の頂点となる頂部１１ａと、ドーム形状の外周となる外周部１１ｂと、を有している（図２参照）。
【００２４】
接点ばね１１は、頂部１１ａが押圧されると、頂部１１ａ付近が反転して凹むように押し込まれた状態となる反転動作が可能である。また、押圧が解除されると、復元力によって元に戻るようになっている。このように、頂部１１ａは、押圧されると押し下げられて下方に移動し、押圧が解除されると再び上方に移動するという、上下方向の移動が可能である。
【００２５】
押し子部材１３は、ＰＥＴ（ポリエチレンテレフタレート）のような合成樹脂を略円柱状に形成されてなる。押し子部材１３は、接点ばね１１の頂部１１ａの上方に配置されて、頂部１１ａ付近に押圧力を集中させるための部材である。
【００２６】
保持シート１２は、ＰＥＴ（ポリエチレンテレフタレート）などの合成樹脂からなる絶縁材をシート状に形成されてなる。そして、保持シート１２の下面の所定の位置には、アクリル系などの粘着剤からなる粘着剤層１２ａが設けられている。保持シート１２の、押し子部材１３の上方となる位置には、押し子部材１３を収容するための収容部１４が形成されている。そして、保持シート１２は、収容部１４の周囲部分で接点ばね１１を粘着剤層１２ａにより保持している。
【００２７】
図３に示すように、収容部１４は、保持シート１２をエンボス加工することにより形成され、上方に２段に突出した形状となっている。この収容部１４の突出形状は、すなわち、一段目となる第１の凸部１４ａと、第１の凸部１４ａから上方に突出して二段目となる第２の凸部１４ｂと、からなる形状のことである。
【００２８】
また、収容部１４は、エンボス加工により形成されているので、保持シート１２の下方からみて、上方に２段に窪んだ、窪み形状となっている。この収容部１４の窪み形状は、すなわち、一段目となる第１の凹部１４ｃと、第１の凹部１４ｃから上方に窪んで二段目となる第２の凹部１４ｄと、からなる形状のことである。
【００２９】
収容部１４は、第２の凹部１４ｄに押し子部材１３の上方側の少なくとも一部を収容するようにして、押し子部材１３を収容する。このとき、収容部１４は、前述したように保持シート１２の下方側からみて、上方に２段に窪んだ、窪み形状となっているので、収容部１４に収容された押し子部材１３の下方側での径方向の周囲には、保持シート１２との間に空間が形成されている。
【００３０】
収容部１４の周囲部分の保持シート１２は、接点ばね１１を保持するための保持部１５となっている。保持部１５は、その下面に前述した粘着剤層１２ａを有していて、接点ばね１１の外周部１１ｂ付近を粘着することで、接点ばね１１を保持している。また、保持部１５は、接点ばね１１を保持したとき、接点ばね１１の上面の形状に合わせて湾曲している。
【００３１】
配線基板３は、フェノール樹脂などの絶縁性の積層板などで形成されている。配線基板３の上面の所定の位置には、固定接点４と固定接点５とが形成されている。
【００３２】
固定接点４は、接点ばね１１の頂部１１ａの下方となる位置に、円形状の接点として形成されている。固定接点５は、接点ばね１１の外周部１１ｂの下方となる位置に、固定接点４から電気的に離間し、かつ、固定接点４を取り囲むような環状の接点として形成されている。
【００３３】
接点ばね付きシート２は、次のように製造することができる。まず、保持シート１２の所定の位置にエンボス加工が施され、収容部１４が形成される。そして、押し子部材１３が、収容部１４の下方から挿入され、収容部１４に収容される。さらに、接点ばね１１が、保持部１５の下方から押し当てられ、粘着剤層１２ａにより粘着されて保持部１５に保持される。このようにして、接点ばね付きシート２が製造される。
【００３４】
続いて、スイッチ装置１は、次のように製造することができる。接点ばね付きシート２は、固定接点４と固定接点５とが形成された配線基板３の所定の位置に貼り付けられる。このとき、接点ばね１１の頂部１１ａは、配線基板３上の固定接点４と離接可能な状態となる。また、接点ばね１１の外周部１１ｂは、配線基板３上の固定接点５に載置されて電気的に接触した状態となる。このようにして、スイッチ装置１が製造される。
【００３５】
尚、スイッチ装置１は、図示しない操作パネルの所定の位置に配設されて、電子機器用のスイッチとして機能する。そして、図示しないキーマットなどの操作物によって、収容部１４の上から、押し子部材１３を介して接点ばね１１の頂部１１ａが押圧されるという押圧操作が可能となる。接点ばね１１が複数設けられた接点ばね付きシート２でスイッチ装置１を形成すれば、テンキー操作パネル等に用いることができる。
【００３６】
次に、接点ばね付きシート２及びスイッチ装置１の動作について図４を用いて説明する。図４は、本考案に係る実施形態の、スイッチ装置の操作時の状態を模式的に示した図である。
【００３７】
図４に示すように、操作時に、収容部１４の上から押圧力Ｆが加えられ、押し子部材１３を介して接点ばね１１の頂部１１ａが押圧される。そして、接点ばね１１の頂部１１ａが押圧されると、接点ばね１１は、頂部１１ａ付近が反転して凹むように押し込まれた状態となる反転動作によって固定接点４と接触し、その結果、接点ばね１１を介して固定接点４と固定接点５との電気的な導通がＯＮとなる。逆に、押圧が解除されると、接点ばね１１が元に戻り、固定接点４と固定接点５との電気的な導通がＯＦＦとなる。このようにして、接点ばね付きシート２及びスイッチ装置１は、固定接点４と固定接点５との電気的な導通をＯＮ・ＯＦＦさせている。
【００３８】
尚、操作時に、収容部１４の上から押圧力Ｆが加えられると、押し子部材１３とともに第２の凸部１４ｂも押圧されて押し下げられる。そして、第２の凸部の下端１４ｆは第１の凸部１４ａを押圧する。しかしながら、収容部１４に収容された押し子部材１３の下方側での径方向の周囲には、保持シート１２との間に空間が形成されているので、第１の凸部１４ａは、図４に示すように変形することができる。そして、第１の凸部１４ａは、この変形によって力を分散させることができるので、収容部１４の下端には力が伝達されず、収容部１４の下端が接点ばね１１を押圧することを抑制できる。
【００３９】
次に、本実施形態の接点ばね付きシート２及びスイッチ装置１の操作感触について説明する。操作時に、押し子部材１３を介して接点ばね１１の頂部１１ａが押圧されるとき、接点ばね１１は、前述した反転動作によって、操作感触を生み出している。
【００４０】
ここで、良好な操作感触について補足説明する。本実施形態の接点ばね付きシート２及びスイッチ装置１では、クリック感を伴う操作感触が求められている。このような操作感触の指標としてはクリック率が使用されている。操作時に接点ばねが反転動作するのに伴って接点ばね自身の動作における荷重が変化するが、操作開始から操作完了までの間において、荷重の変位点が２箇所発生する。その２箇所の変位点の内の大きい荷重値をＰ１、小さい荷重値をＰ２とすると、クリック率＝［（Ｐ１−Ｐ２）／Ｐ１］として表され、一般にクリック率が高いほど良好な操作感触とされている。そして、接点ばね１１は、反転動作が円滑に行われるときに、Ｐ１が大きくなり、かつ、Ｐ２が小さくなるように設計されている。そのため、反転動作が円滑に行われる場合、接点ばね１１は、クリック率が高く良好な操作感触を生み出すことができる。
【００４１】
このとき、本実施形態の接点ばね付きシート２では、前述したように、収容部１４は、エンボス加工により、上方に２段に突出した形状となっており、収容部１４に収容された押し子部材１３の下方側での径方向の周囲には、保持シート１２との間に空間が形成されている。そして、操作時に、第１の凸部１４ａ（エンボス加工された収容部１４の一段目の部分）が変形することで力を分散させ、収容部１４の下端が接点ばね１１を押圧することを抑制できる。そのため、接点ばね１１の反転動作が円滑に行われるので、接点ばね１１はクリック率が高く良好な操作感触を生み出すことができる。その結果、接点ばね付きシート２は操作感触を良くすることができる。また、スイッチ装置１は、このような接点ばね付きシート２を備えたスイッチ装置とすることで、操作感触を良くすることができる。
【００４２】
したがって、本実施形態の接点ばね付きシート２及びスイッチ装置１は、操作感触を良くすることができる。
【００４３】
次に、収容部１４の突出形状について、図５を用いて補足説明する。図５は、本考案に係る実施形態の、第２の凸部と頂部と第１の凸部の基端部との位置関係を模式的に示した図である。
【００４４】
図５に示すように、第２の凸部の下端１４ｆから第２の凸部の上端１４ｇまでの上下方向の距離をＤ１とする。頂部１１ａの上下方向に移動可能な距離をＤ２とする。そして、第１の凸部の基端部１４ｅの上下方向に移動可能な距離をＤ３とする。
【００４５】
接点ばね付きシート２では、操作時に、接点ばね１１の反転動作に伴い、頂部１１ａが押し下げられ、それに合せて、第２の凸部１４ｂが下方に移動する。そのため、第２の凸部１４ｂの移動量はＤ２と等しくなる。また、操作時に、接点ばね１１の反転動作に伴う外周部１１ｂ付近の変形によって、第１の凸部の基端部１４ｅが下方に移動する。そして、それに合せて、第１の凸部１４ａも下方に移動する。そのため、第１の凸部１４ａの移動量はＤ３と等しくなる。また、第２の凸部の下端１４ｆから第２の凸部の上端１４ｇまでの上下方向の距離Ｄ１とは、すなわち、第２の凸部１４ｂの突出量のことである。
【００４６】
このとき、第２の凸部の下端１４ｆから第２の凸部の上端１４ｇまでの上下方向の距離Ｄ１は、頂部１１ａの上下方向に移動可能な距離Ｄ２と第１の凸部の基端部１４ｅの上下方向に移動可能な距離Ｄ３との差分よりも大きくなっていることが望ましい。
【００４７】
このような接点ばね付きシート２では、第２の凸部１４ｂの突出量は、第２の凸部１４ｂの移動量と第１の凸部１４ａの移動量との差分よりも大きくなる。こうすれば、操作時に、第２の凸部１４ｂが押し下げられても、第２の凸部の上端１４ｇは第１の凸部１４ａよりも上方に突出する。そのため、操作時に、第２の凸部の上端１４ｇのみを押すことができる。そして、接点ばね１１の円滑な反転動作が安定して行われるので、接点ばね１１は安定して良好な操作感触を生み出すことができる。その結果、接点ばね付きシート２は安定して操作感触を良くすることができる。
【００４８】
次に、押し子部材１３の状態について、図６を用いて補足説明する。図６は、本考案に係る実施形態の、第２の凹部の下端と押し子部材との位置関係を模式的に示した図である。
【００４９】
図６に示すように、押し子部材１３は、収容部１４に収容されるとき、第２の凹部の下端１４ｈよりも下方に突出していることが望ましい。この構成の接点ばね付きシート２では、押し子部材１３は、第２の凹部の下端１４ｈよりも下方に突出しているので、操作時に、押し子部材１３が確実に接点ばね１１の頂部１１ａを押圧することができる。
【００５０】
このような接点ばね付きシート２では、操作時に、押し子部材１３が確実に接点ばね１１の頂部１１ａを押圧することができる。そして、接点ばね１１の円滑な反転動作が安定して行われるので、接点ばね１１は安定して良好な操作感触を生み出すことができる。その結果、接点ばね付きシート２は安定して操作感触を良くすることができる。
【００５１】
次に、第１の凸部１４ａ及び第２の凸部１４ｂの形状について補足説明する。第１の凸部１４ａの形状は、略円柱であることが望ましいが、多角柱や半球のような略円柱以外の形状であっても構わない。また、第２の凸部１４ｂの形状も、略円柱であることが望ましいが、多角柱や半球のような略円柱以外の形状であっても構わない。
【００５２】
次に、保持シート１２の厚さについて補足説明する。保持シート１２は、所定の位置を切り欠いたシート材の上にもう一枚の別のシート材を貼り合せて、シート材の厚さが部分的に異なるように加工されていても構わない。この方法を用いて、収容部１４付近のシート材の厚さのみを他の部分よりも薄くすることによって、全体の機械強度を維持できて、かつ、収容部１４のエンボス加工が容易な、保持シート１２が得られる。
【００５３】
また、レーザなどの手段によって保持シート１２の所定の位置に溝加工を施し、その後にエンボス加工を施すことによって、シート材の厚さが部分的に異なるように加工されていても構わない。この方法を用いて、第１の凸部１４ａ付近の厚さを、収容部１４の他の部分の厚さよりもさらに薄くすることによって、第１の凸部１４ａがさらに変形し易くなる。
【符号の説明】
【００５４】
１  スイッチ装置
２  接点ばね付きシート
３  配線基板
４  ５  固定接点
１１  接点ばね
１１ａ  頂部
１１ｂ  外周部
１２  保持シート
１２ａ  粘着剤層
１３  押し子部材
１４  収容部
１４ａ  第１の凸部
１４ｂ  第２の凸部
１４ｃ  第１の凹部
１４ｄ  第２の凹部
１４ｅ  第１の凸部の基端部
１４ｆ  第２の凸部の下端
１４ｇ  第２の凸部の上端
１４ｈ  第２の凹部の下端
１５  保持部
【図１】
0003178040.tif 000003
【図２】
0003178040.tif 000004
【図３】
0003178040.tif 000005
【図４】
0003178040.tif 000006
【図５】
0003178040.tif 000007
【図６】
0003178040.tif 000008
【図７】
0003178040.tif 000009